(57)【要約】【課題】従来の伸縮連結紐は一般の紐にコイルバネなどを介在したものであるので、コイル紐に所定の大きさの反射発光体を取り付け、かつ、引っ張り圧が加わると切断して安全を図れる伸縮連結紐を提供する。【解決手段】伸縮連結紐１は、所定以上の力で引き伸ばされると自然に切れる切断特性と蛍光特性を有するコイル紐２の中ほどに、適度な厚さと柔軟性を有するとともに、ヘッドライトが当たると光る再帰性反射する通し穴４付き反射発光体５を形成し、その反射発光体５を、前記コイル紐２の中ほどに位置するとともに、前記コイル紐２の両端部にナス環等の係止具６，６を、止め具７，７を持って取り付けて成る伸縮連結紐１とする。【選択図】図１
0003150075.tif 000002
【実用新案登録請求の範囲】
【請求項１】
伸縮自在のコイル紐の中ほどに、所定の大きさの反射発光体を取り付けた前記コイル紐の両端部に、開閉自在の係止具を取り付けて成る構成を特徴とする反射発光する伸縮連結紐。
【請求項２】
前記するコイル紐が、蛍光素材により形成される請求項１に記載する反射発光する伸縮連結紐。
【請求項３】
前記する反射発光体が、帯を二つ折り掛け接合形成して成る請求項１又は請求項２に記載する反射発光する伸縮連結紐。
【請求項４】
前記する反射発光体に、図柄を表示して成る請求項１又は請求項３に記載する反射発光する伸縮連結紐。
【考案の詳細な説明】
【技術分野】
【０００１】  本考案は、幼児と散歩の時や犬の散歩時に連結する発色性高い伸縮コイル紐であるとともに、所定の引っ張り圧が加わると切断し、かつヘッドライトに高輝度反射する反射発光体を備えた伸縮連結紐に関する。
【背景技術】
【０００２】  従来、親の体と幼児を、またペットの散歩時に連結する紐等は様々あり、その中には合成樹脂製のコイル紐の他に、通常の紐の一部に金属製のスプリングを介在した連結紐等があり、いずれもコイル紐やスプリング部分が伸縮する紐である。【０００３】  さらに、犬の散歩中に、急に引っ張られることにより転倒を防止する衝撃緩衝機構と、一定の範囲以上は伸びない過伸防止機構を兼ね備えた犬散歩用の綱の技術がある。（例えば、特許文献１参照）
【特許文献１】特開平９−９８１４
【考案が解決しようとする課題】
【０００４】  前記するような伸縮する紐があるが、全体がコイル紐の他に、一般の紐にスプリングを介在した紐であるが、合成樹脂製のコイル紐の場合、強く引っ張ることが多いと中だるみしやすく、これを犬の散歩のリードに用いた場合、伸びだるみして弛んだ部分が地面に触れて泥で汚れてしまうなどの欠点があった。
【０００５】  また、これらの紐自体は反射性や発色性もなく目立たないので、特に夜間などの場合は散歩させる人と幼児や犬の間に、歩く人や自転車などが入って引っ掛かったりするなどの危険や不便があった。
【０００６】  次に、特開平９−９８１４に開示される技術は、通常の綱の一部に金属製のコイルスプリングを介在することにより、散歩させている犬が急に走り出してもコイルスプリング部が伸びて衝撃を吸収する綱の技術である。
【０００７】  しかし、この技術による綱は通常のロープタイプであるため雨にぬれると重くなり、またスプリング部分は金属素材やゴム製チューブなど用いているのでさらに重くなるとともに、複合素材であるためコスト高になる。
【０００８】  さらにコイルスプリング部分で衝撃を吸収するが切れることは無いので、犬が急に出し続けた場合は引きずられるか転倒して怪我を負うなどの不便や危険要素がある綱であった。
【課題を解決するための手段】
【０００９】  本考案は、前記するような従来の伸縮連結紐が持つ不便や欠点を解消するために、請求項１においては、伸縮自在のコイル紐の中ほどに、所定の大きさの反射発光体を取り付けた前記コイル紐の両端部に開閉自在の係止具を取り付けることで、幼児や犬などの散歩時に反射発光させて交通安全防止を図れる伸縮連結紐とする。
【００１０】  請求項２においては、前記するコイル紐が蛍光素材で形成することで、昼間でも鮮やかに目立つ伸縮連結紐とする。
【００１１】  請求項３においては、前記する反射発光体が、柔軟な帯を二つ折り掛け形成することで、幼児の体に当たっても安全な伸縮連結紐とする。
【００１２】  請求項４においては、前記する反射発光体に図柄を表示することにより、見た目にもお洒落で幼児を喜ばせる雰囲気にできる伸縮連結紐とする。
【考案の効果】
【００１３】  本考案による伸縮連結紐の素材は目立ちやすい蛍光特性を有し、かつ所定の引っ張り圧が加わると切れるユニークなコイル紐であって、そのコイル紐の中ほどにヘッドライトを受けると高輝度に光る再帰性の反射発光体を取り付けた連結紐を構成するので、以下のような作用効果を発揮する。
【００１４】  またコイル紐は蛍光発色する紐であるので、昼間はもとより夕方の薄暮の時間帯には特に目立ち、かつ、そのコイル紐の中ほどには適度な大きさの反射発光体を備えているので、夜間のヘッドライトに高輝度発光して自動車や自転車への認識度は極めて高いため、昼夜を問わず交通事故防止効果を得られる連結紐である。
【００１５】  さらにコイル紐は所定の引っ張り圧で引き伸ばされると切れる特殊な紐であるので、例えば、手荷物や鞄を、手首かベルトにこの紐で連結した際に引ったくりに遭ったり、犬が急に走り出した場合などは、所定の切断設定値までは保持するが、それ以上危険な状態まで引っ張られた場合は自然に切れるので、倒れたり引きずられて怪我をする心配が無い伸縮連結紐として使える。
【００１６】  加えて、コイル紐の伸縮性は高いので短くても紐の用を足して伸びだるみせず、かつ反射発光体は柔軟な帯であるので幼児の体に当たっても怪我をする心配はない。またコイル紐の一方を大人のベルトに、他方を幼児や犬に繋ぐと両手に荷物を持つこともできるとともに、連結している幼児や犬は一定範囲に留まり勝手な動きを制御できるなど、従来には見られないユニークにして機能的な反射発光する伸縮連結紐を安価に提供する。
【考案を実施するための最良の形態】
【００１７】  本考案の伸縮連結紐の実施形態を、図１に示す斜視図と図２に示す反射発光体の展開裏面図、図３に示すΛ−Λ線拡大端面図及び図４に示す使用状態参考図で説明する。【００１８】  本考案による伸縮連結紐１は、まず伸縮の長さが約２０〜１５０センチメートルで、かつ、所定以上、例えば１５キログラム以上の引っ張り圧が加わって引き伸ばされると自然に切れる切断特性と、光を受けなくても発色性が高い蛍光特性を有する合成樹脂製のコイル紐２の中ほどに、幅約３〜４センチメートルで長さ約１０センチメートルで、かつ適度な柔軟性と腰の強さを有するとともに、ヘッドライトが当たると光る再帰性反射する帯の裏面に、中央部を除く２面に接着剤３，３を塗布して二つ折り接合して、二つ折り部にコイル紐２がきつく嵌る通し穴４を形成する反射発光体５を成す。【００１９】  次に、前記する反射発光体５を、前記コイル紐２の中ほどまで通して位置した上で、前記コイル紐２の両端部に、着脱自在のナス環等の係止具６，６を止め具７，７を持って取り付けた伸縮連結紐１とする。【００２０】  さらに、以上のような反射発光体５面に反射顔料や蛍光顔料又はウエルダー加工によるキャラクターなどの図柄８を表示して成る反射発光する伸縮連結紐１を構成する。尚。前記する反射発光体５は、二つ折りした帯を接着剤３で接合しているが、加工機器を用いて溶着する方法でもよいものとする。【００２１】  本考案の実施形態におけるコイル紐２は、合成樹脂製で伸縮自在であるが、一般的なものと異なり、引ったくり時などに、所定以上の引っ張り圧が加わると切れる特殊なコイル紐２を採用しているので、引き倒されて怪我をする危険要素を少なくするとともに、蛍光素材により発色性が高いのでコイル紐２自体も目立ちやすい。【００２２】  さらに、そのコイル紐２の中ほどには、適度な大きさの再帰性反射素材による反射発光体５を介在させているので、夕方や夜間におけるヘッドライトが当たると鮮やかに発光して遠くからでも連結紐や反射発光帯体５の存在を認識させられる上、通し穴４はきついので、例えコイル紐２を傾斜状態で使用しても任意の位置で固定できる伸縮連結紐１となる。【００２３】  本考案は以上のような構成であるが、コイル紐２は蛍光素材であるが、特に蛍光素材でなくてもよく、また反射発光帯体５は身体に当たっても痛くない柔軟な帯を二つ折りしたものが好ましいが、これも帯素材でなく板素材や他の素材でも差し支えない。【００２４】  加えて、コイル紐２の両端部に取り付ける係止具６はナス環であるが、これ以外に開閉自在できるものであればどんな係止部材でもよい。また反射発光体５に表示される図柄８は反射もしくは発色顔料が好ましいが一般顔料でも差支えない。さらにこの伸縮紐を連結用途でなく、単独で幼児に取り付けた場合は、反射発光体５は適度な大きさで、かつ平板であるので図柄８の余白に、氏名や電話番号の表示スペースを設けてもよく、いずれも特に限定されるものではない。
【図面の簡単な説明】
【００２５】
【図１】本考案の伸縮連結紐の実施形態を示す斜視図である。
【図２】本考案の伸縮連結紐の反射発光体を示す展開裏面図である。
【図３】本考案の伸縮連結紐を示すＡ−Ａ線拡大端面図である。
【図４】本考案の伸縮連結紐の使用状態を示す参考図である。
【符号の説明】
【００２６】１  伸縮連結紐
２  コイル紐
３  接着剤
４  通し穴
５  反射発光体
６  係止具
７  止め具
８  図柄
【図１】
0003150075.tif 000003
【図２】
0003150075.tif 000004
【図３】
0003150075.tif 000005
【図４】
0003150075.tif 000006